(57)【要約】【課題】本考案は、いろいろな異なる種類のセンサーユニットを携帯式電子装置に着脱可能に取り付けることができるセンサー装置及びセンサーシステムを提供する。【解決手段】本考案のセンサー装置は、被測定物の物理パラメータ又は化学パラメータを検出する一方、物理パラメータ又は化学パラメータに対応するデジタル信号を生成するセンサーユニットと、ユニバーサルシリアルバスインターフェースによってセンサーユニットに電気的に接続され、ユニバーサルシリアルバスインターフェースを介してセンサーユニットが送信する前記デジタル信号を受信する処理ユニットと、処理ユニットが送信する前記デジタル信号を受信し且つサーバーに送信する送信ユニットと、サーバーが送信する前記デジタル信号に対する分析結果を受信する受信ユニットと、受信ユニットに電気的に接続されて前記分析結果を出力する出力ユニットと、を具備する携帯式電子装置と、を備える。本考案のセンサーシステムは、前記センサー装置及びサーバーを備える。【選択図】図１
0003167809.tif 000002
【実用新案登録請求の範囲】
【請求項１】
被測定物の物理パラメータ又は化学パラメータを検出する一方、前記物理パラメータ又は前記化学パラメータに対応するデジタル信号を生成するセンサーユニットと、
ユニバーサルシリアルバスインターフェースによって前記センサーユニットに電気的に接続され、前記ユニバーサルシリアルバスインターフェースを介して前記センサーユニットが送信する前記デジタル信号を受信する処理ユニットと、前記処理ユニットが送信する前記デジタル信号を受信し且つサーバーに送信する送信ユニットと、前記サーバーが送信する前記デジタル信号に対する分析結果を受信する受信ユニットと、前記受信ユニットに電気的に接続されて前記分析結果を出力する出力ユニットと、を具備する携帯式電子装置と、
を備えることを特徴とするセンサー装置。
【請求項２】
前記送信ユニットは、ネットワークによって、前記デジタル信号を前記サーバーに送信することを特徴とする請求項１に記載のセンサー装置。
【請求項３】
前記分析結果は、検出結果に応対する情報又は広告情報を備えることを特徴とする請求項１に記載のセンサー装置。
【請求項４】
前記携帯式電子装置は携帯電話であることを特徴とする請求項１に記載のセンサー装置。
【請求項５】
前記携帯式電子装置は、前記処理ユニットに電気的に接続されて前記デジタル信号を記憶するメモリユニットをさらに含むことを特徴とする請求項１に記載のセンサー装置。
【請求項６】
被測定物の物理パラメータ又は化学パラメータを検出する一方、前記物理パラメータ又は前記化学パラメータに対応するデジタル信号を生成するセンサーユニットと、
前記デジタル信号に対して分析して分析結果を生成するサーバーと、
ユニバーサルシリアルバスインターフェースによって前記センサーユニットに電気的に接続され、前記ユニバーサルシリアルバスインターフェースを介して前記センサーユニットが送信する前記デジタル信号を受信する処理ユニットと、前記処理ユニットが送信する前記デジタル信号を受信し且つ前記サーバーに送信する送信ユニットと、前記サーバーが送信する前記デジタル信号に対する分析結果を受信する受信ユニットと、前記受信ユニットに電気的に接続されて前記分析結果を出力する出力ユニットと、を具備する携帯式電子装置と、
を備えることを特徴とするセンサーシステム。
【請求項７】
前記送信ユニットは、ネットワークによって、前記デジタル信号を前記サーバーに送信することを特徴とする請求項６に記載のセンサーシステム。
【請求項８】
前記分析結果は、検出結果に応対する情報又は広告情報を備えることを特徴とする請求項６に記載のセンサーシステム。
【請求項９】
前記携帯式電子装置は携帯電話であることを特徴とする請求項６に記載のセンサーシステム。
【請求項１０】
前記携帯式電子装置は、前記処理ユニットに電気的に接続されて前記デジタル信号を記憶するメモリユニットをさらに含むことを特徴とする請求項６に記載のセンサーシステム。
【請求項１１】
前記被測定物は、人体の体液であることを特徴とする請求項６に記載のセンサーシステム。
【請求項１２】
前記物理パラメータ又は前記化学パラメータは、血糖濃度、血脂肪濃度、体液のイオン含有量、血酸素含有量又は尿素含有量であることを特徴とする請求項６に記載のセンサーシステム。
【考案の詳細な説明】
【技術分野】
【０００１】
本考案は、センサー装置（Ｓｅｎｓｏｒ  Ａｐｐａｒａｔｕｓ）に関し、特にセンサーユニットを取り換えることができるセンサー装置及びセンサーシステムに関する。
【背景技術】
【０００２】
従来の携帯式センサー装置は、通常センサー部と、表示部と、マイクロプロセッサーと、を含む。前記センサー部は、被測定物の物理パラメータ又は化学パラメータを検出するために用いられるセンサーヘッドを有する。前記マイクロプロセッサーは、前記センサー部内又は前記表示部内に設置されており、前記物理パラメータ又は前記化学パラメータを分析するために用いられる。前記表示部は、前記マイクロプロセッサーによる分析結果、即ち被測定部の物理パラメータ又は化学パラメータを表示する表示スクリーンを有する。前記センサー装置で被測定物の特性を検出する場合、前記センサーヘッドを被測定物内に伸ばして入れると、前記表示スクリーンに表示される検出結果を見ることができるので、前記センサー装置の使用が便利である。
【０００３】
しかし、前記センサー装置において、前記センサー部と前記表示部は一体になるので、前記表示部から前記センサー部を取り外すことができなく、従って前記センサー装置の機能は前記センサーヘッドの種類に制限されており、前記センサー装置が検出できる物理パラメータ又は化学パラメータも有限であり、ただ単一の種類を検出することができる。被測定物の異なる複数の物理パラメータ又は化学パラメータを検出しようとする場合、異なる複数のセンサー装置を携帯しなければならなく、従って携帯物品の体積及び重量を増加して、検出作業に不便をもたらし、且つ異なる複数のセンサー装置を買えなければならなく、従って検出コストを高める。
【考案の概要】
【考案が解決しようとする課題】
【０００４】
本考案の第一目的は、前記課題を解決し、いろいろな異なる種類のセンサーユニットを携帯式電子装置に着脱可能に取り付けることができ、従っていろいろな異なる物理パラメータ又は化学パラメータを便利に検出することができるセンサー装置を提供することである。
【０００５】
本考案の第二目的は、前記課題を解決し、いろいろな異なる種類のセンサーユニットを携帯式電子装置に着脱可能に取り付けることができ、従っていろいろな異なる物理パラメータ又は化学パラメータを便利に検出することができるセンサーシステムを提供することである。
【課題を解決するための手段】
【０００６】
本考案に係わるセンサー装置は、被測定物の物理パラメータ又は化学パラメータを検出する一方、前記物理パラメータ又は前記化学パラメータに対応するデジタル信号を生成するセンサーユニットと、ユニバーサルシリアルバスインターフェースによって前記センサーユニットに電気的に接続され、前記ユニバーサルシリアルバスインターフェースを介して前記センサーユニットが送信する前記デジタル信号を受信する処理ユニットと、前記処理ユニットが送信する前記デジタル信号を受信し且つサーバーに送信する送信ユニットと、前記サーバーが送信する前記デジタル信号に対する分析結果を受信する受信ユニットと、前記受信ユニットに電気的に接続されて前記分析結果を出力する出力ユニットと、を具備する携帯式電子装置と、を備える。
【０００７】
本考案に係わるセンサーシステムは、被測定物の物理パラメータ又は化学パラメータを検出する一方、前記物理パラメータ又は前記化学パラメータに対応するデジタル信号を生成するセンサーユニットと、前記デジタル信号に対して分析して分析結果を生成するサーバーと、ユニバーサルシリアルバスインターフェースによって前記センサーユニットに電気的に接続され、前記ユニバーサルシリアルバスインターフェースを介して前記センサーユニットが送信する前記デジタル信号を受信する処理ユニットと、前記処理ユニットが送信する前記デジタル信号を受信し且つ前記サーバーに送信する送信ユニットと、前記サーバーが送信する前記デジタル信号に対する分析結果を受信する受信ユニットと、前記受信ユニットに電気的に接続されて前記分析結果を出力する出力ユニットと、を具備する携帯式電子装置と、を備える。
【考案の効果】
【０００８】
本考案のセンサー装置及びセンサーシステムにおいて、いろいろな異なる種類のセンサーユニットを携帯式電子装置に着脱可能に取り付けることができるので、本考案のセンサー装置でいろいろな異なる物理パラメータ又は化学パラメータを検出しようとする場合、１つの携帯式電子装置及びいろいろな異なる種類のセンサーユニットを携帯すればよく、従って携帯物品の体積及び重量を低減して、検出作業が便利になり、且つ異なる種類の前記センサー装置を買えなくてもよく、従って検出コストを節約することができる。
【図面の簡単な説明】
【０００９】
【図１】本考案の第一実施形態に係るセンサーシステムの構造を示すブロック図である。
【図２】図１に示す携帯式電子装置及びセンサーユニットからなるセンサー装置の正面図である。
【図３】本考案の第二実施形態に係るセンサーシステムの構造を示すブロック図である。
【考案を実施するための形態】
【００１０】
図１は、本考案の第一実施形態に係るセンサーシステムの構造を示すブロック図である。図２は、図１に示す携帯電子装置及びセンサーユニットからなるセンサー装置の正面図である。図１を参照すると、本考案のセンサーシステム１００は、センサーユニット１２０と、サーバー１３０と、携帯式電子装置１４０と、を含む。前記センサーユニット１２０は、被測定物（図示せず）の物理パラメータ又は化学パラメータを検出する一方、前記物理パラメータ又は前記化学パラメータに対応するデジタル信号を生成する。前記携帯式電子装置１４０にいろいろな異なる種類のセンサーユニット１２０を着脱可能に取り付けることができ、前記携帯式電子装置１４０は、前記センサーユニット１２０からのデジタル信号を前記サーバー１３０に送信し、且つ前記サーバー１３０による前記デジタル信号に対する分析結果を受信してから出力する。
【００１１】
図２を参照すると、前記センサーユニット１２０と前記携帯式電子装置１４０は、ユニバーサルシリアルバス（Ｕｎｉｖｅｒｓａｌ  Ｓｅｒｉｅｓ  Ｂｕｓ，ＵＳＢ）インターフェースによって電気的に接続されてセンサー装置を構成する。図１に示すように、前記ＵＳＢインターフェースは、ＵＳＢプラグ１２１とＵＳＢソケット１４１を含む。本実施形態において、前記ＵＳＢプラグ１２１は、前記センサーユニット１２０に設置されており、前記ＵＳＢソケット１４１は、前記携帯式電子装置１４０に設置されている。
【００１２】
前記センサーユニット１２０のＵＳＢプラグ１２１を前記携帯式電子装置１４０のＵＳＢソケット１４１に挿入して、前記センサーユニット１２０と前記携帯式電子装置１４０とを電気的に接続することにより、前記センサーユニット１２０と前記携帯式電子装置１４０との間でデジタル信号を伝送することができる。
【００１３】
前記センサーユニット１２０は、センサーヘッド１２２と、Ａ／Ｄコンバータ１２３と、を含む。前記センサーヘッド１２２は、被測定物の物理パラメータ又は化学パラメータを検出し、且つ前記物理パラメータ又は前記化学パラメータに対応するアナログ信号を生成してから前記Ａ／Ｄコンバータ１２３に送信する。前記アナログ信号は、通常微電圧信号又は微電流信号である。前記Ａ／Ｄコンバータ１２３は、前記センサーヘッド１２２からのアナログ信号をデジタル信号に変換する。
【００１４】
前記被測定物は、液体、気体又は固体などであることができ、例えば、人体の体液である。異なる前記センサーヘッド１２２によって、前記センサーユニット１２０の種類及び前記センサーユニット１２０が検出する被測定物の物理パラメータ又は化学パラメータも異なる。具体的に説明すると、前記センサーヘッド１２２によって血糖濃度を検出する場合、前記センサーユニット１２０は血糖濃度検出用センサーユニットであり、前記センサーヘッド１２２によって体液の中のイオン含有量を検出する場合、前記センサーユニット１２０はイオン含有量検出用センサーユニットであり、前記センサーヘッド１２２によって血脂肪含有量を検出する場合、前記センサーユニット１２０は血脂肪含有量検知用センサーユニットであり、前記センサーヘッド１２２によって血酸素含有量を検出する場合、前記センサーユニット１２０は血酸素含有量検知用センサーユニットであり、前記センサーヘッド１２２によって尿素含有量を検出する場合、前記センサーユニット１２０は尿素含有量検知用センサーユニットであり、前記センサーヘッド１２２によって他の体液の生物化学パラメータ検出する場合、前記センサーユニット１２０は他の体液の生物化学パラメータ検知用センサーユニットである。
【００１５】
本実施形態において、前記携帯式電子装置１４０は、携帯電話であることができ、処理ユニット１４２と、送信ユニット１４３と、受信ユニット１４４と、出力ユニット１４５と、を含む。前記ＵＳＢプラグ１２１を前記ＵＳＢソケット１４１に挿入接続してから、前記処理ユニット１４２は、前記センサーユニット１２０からのデジタル信号を受信し且つ前記送信ユニット１４３に送信する。前記送信ユニット１４３は、前記処理ユニット１４２からのデジタル信号を受信し且つ前記サーバー１３０に送信する。前記サーバー１３０は、前記送信ユニット１４３からのデジタル信号を受信して分析し且つ分析結果を前記受信ユニット１４４に送信する。前記受信ユニット１４４は、前記サーバー１３０からの分析結果を受信する。前記出力ユニット１４５は、前記受信ユニット１４４に電気的に接続されて前記分析結果を出力する。
【００１６】
前記送信ユニット１４３は、ネットワーク１５０によって、前記処理ユニット１４２からのデジタル信号を前記サーバー１３０に送信する。前記ネットワーク１５０は、インターネット（Ｉｎｔｅｒｎｅｔ）又はイントラネット（Ｉｎｔｒａｎｅｔ）である。前記ネットワーク１５０の情報伝送方式は、ＧＰＲＳ、ＷＩＦＩ、３Ｇ、ＷｉＭＡＸ、ＬＴＥなどの無線伝送方式又はＲＪ４５ネットワーク線、電話線による有線伝送方式であることができる。本実施形態において、前記送信ユニット１４３は、無線ネットワーク信号を出力する。前記サーバー１３０は、前記ネットワーク１５０によって、前記送信ユニット１４３からの無線ネットワーク信号に対する分析結果を前記受信ユニット１４４に送信する。前記出力ユニット１４５は、表示装置である。前記サーバー１３０による分析結果は、被測定物の物理パラメータ又は化学パラメータ、検出結果に応対する情報、広告情報又は医療資源情報であることができる。例えば、血糖濃度を検出して、前記サーバー１３０による分析結果が高血糖濃度である場合、前記サーバー１３０は、高血糖濃度の検出結果、血糖濃度を低減できる薬品名又は保健品名に関する情報を出力する。
【００１７】
本実施形態において、いろいろな異なる種類の前記センサーユニット１２０を前記携帯式電子装置１４０に着脱可能に取り付けることができるので、前記センサーシステム１００でいろいろな異なる物理パラメータ又は化学パラメータを検出しようとする場合、１つの前記携帯式電子装置１４０及びいろいろな異なる種類の前記センサーユニット１２０を携帯すればよく、従って携帯物品の体積及び重量を低減して、検出作業が便利になり、且つ異なる種類の前記センサー装置を買えなくてもよく、従って検出コストを節約することができる。
【００１８】
被測定物の物理パラメータ又は化学パラメータに対応するデジタル信号を前記サーバー１３０に送信して分析するので、前記携帯式電子装置１４０及び前記センサーユニット１２０からなるセンサー装置の構造をコンパクトにして、前記センサー装置のコストを低減することができる。前記サーバー１３０によってデジタル信号を統一に処理するので、前記サーバー１３０内のアプリケーションソフトウェアを便利に更新することができ、前記センサーシステム１００の応用範囲をさらに拡大することができる。
【００１９】
図３は、本考案の第二実施形態に係るセンサーシステムの構造を示すブロック図である。前記第一実施形態に係わるセンサーシステム１００に比べて、本実施形態に係わるセンサーシステム２００の携帯式電子装置２４０は、メモリユニット２４６をさらに含む。本実施形態において、前記センサーユニット２２０は、センサーヘッド２２２と、Ａ／Ｄコンバータ２２３と、を含む。前記センサーヘッド２２２は、被測定物の物理パラメータ又は化学パラメータを検出し、且つ前記物理パラメータ又は前記化学パラメータに対応するアナログ信号を生成してから前記Ａ／Ｄコンバータ２２３に送信する。前記アナログ信号は、微電圧信号或いは微電流信号である。前記Ａ／Ｄコンバータ２２３は、前記センサーヘッド２２２からのアナログ信号をデジタル信号に変換する。前記メモリユニット２４６は、処理ユニット２４２に電気的に接続されてデジタル信号を記憶するために用いられる。前記メモリユニット２４６は、送信ユニット２４３に電気的に接続されることができ、前記メモリユニット２４６に記憶されているデジタル信号を前記送信ユニット２４３によって前記サーバー１３０に送信して分析する。
【００２０】
本考案のセンサーシステム及びセンサー装置は、以下の利点を有する。
【００２１】
第一、いろいろな異なる種類のセンサーユニットを携帯式電子装置に着脱可能に取り付けることができるので、センサー装置でいろいろな異なる物理パラメータ又は化学パラメータを検出しようとする場合、１つの携帯式電子装置及びいろいろな異なる種類のセンサーユニットを携帯すればよく、従って携帯物品の体積及び重量を低減して、検出作業が便利になる。
【００２２】
第二、いろいろな異なる種類のセンサーユニットを携帯式電子装置に着脱可能に取り付けることができるので、センサー装置でいろいろな異なる物理パラメータ又は化学パラメータを検出しようとする場合、１つの携帯式電子装置及びいろいろな異なる種類のセンサーユニットを携帯すればよく、異なる種類のセンサー装置を買うことを必要としなく、従って検出コストを節約することができる。
【００２３】
第三、被測定物の物理パラメータ又は化学パラメータに対応するデジタル信号をサーバーに送信して分析するので、携帯式電子装置及びセンサーユニットからなるセンサー装置の構造をコンパクトにして、センサー装置のコストを低減することができる。又、サーバーによってデジタル信号を統一に処理するので、サーバーの内のアプリケーションソフトウェアを便利に更新することができ、本考案のセンサーシステムの応用範囲をさらに拡大することができる。
【００２４】
以上本考案を実施例に基づいて具体的に説明したが、本考案は、上述の実施例に限定されるものではなく、その要旨を逸脱しない範囲において、種種変更可能であることは勿論であって、本考案の保護範囲は、以下の実用新案登録請求の範囲から決まる。
【符号の説明】
【００２５】
１００、２００  センサーシステム
１２０、２２０  センサーユニット
１２１、２２１  ＵＳＢプラグ
１２２、２２２  センサーヘッド
１２３、２２３  Ａ／Ｄコンバータ
１３０、２３０  サーバー
１４０、２４０  携帯式電子装置
１４１  ＵＳＢソケット
１４２、２４２  処理ユニット
１４３、２４３  送信ユニット
１４４  受信ユニット
１４５  出力ユニット
１５０  インターネット
２４６  メモリユニット
【図１】
0003167809.tif 000003
【図２】
0003167809.tif 000004
【図３】
0003167809.tif 000005